【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
画像データを生成するホスト装置と、前記ホスト装置から受信した前記画像データに基づいて複数の記録素子を有する記録ヘッドにより記録媒体に記録を行う記録装置と、を含む記録システムであって、
前記ホスト装置は、
前記画像データにより駆動される前記記録ヘッドの各記録素子の駆動回数をカウントするカウント手段と、
前記カウント手段によるカウント結果に基づいて前記複数の記録素子をブロック化し、該ブロック化された複数の記録素子の駆動回数の代表値を該ブロック化された複数の記録素子の駆動回数とする駆動データを前記記録装置に送信する送信手段と、
を有し、
前記記録装置は、
前記ホスト装置から前記駆動データを受信する受信手段と、
前記受信手段が受信した前記駆動データに基づいて、前記ブロック化された各記録素子の駆動回数を更新する更新手段と、
前記更新手段の更新結果に基づいて前記複数の記録素子の駆動状態を判定する判定手段と、
を有することを特徴とする記録システム。
【請求項２】
前記判定手段の判定する前記複数の記録素子の駆動状態は、記録ヘッドの寿命を示す指標であることを特徴とする請求項１に記載の記録システム。
【請求項３】
画像データに基づいて複数の記録素子を有する記録ヘッドにより記録媒体に記録を行う記録装置における記録ヘッドの管理方法であって、
前記画像データにより駆動される前記記録ヘッドの各記録素子の駆動回数をカウントするカウント工程と、
前記カウント工程におけるカウント結果に基づいて、前記複数の記録素子をブロック化し、該ブロック化された複数の記録素子の駆動回数の代表値を該ブロック化された複数の記録素子の駆動回数とする駆動データを生成する生成工程と、
前記駆動データに基づいて前記ブロック化された各記録素子の駆動回数を更新する更新工程と、
前記更新工程における更新結果に基づいて、前記複数の記録素子の駆動状態を判定する判定工程と、
を有することを特徴とする記録ヘッドの管理方法。
【請求項４】
前記判定工程において判定される前記複数の記録素子の駆動状態は、記録ヘッドの寿命を示す指標であることを特徴とする請求項３に記載の記録ヘッドの管理方法。
【請求項５】
画像データに基づいて複数の記録素子を有する記録ヘッドにより記録媒体に記録を行う記録ヘッドの管理システムであって、
前記画像データにより駆動される前記記録ヘッドの各記録素子の駆動回数をカウントするカウント手段と、
前記カウント手段によるカウント結果に基づいて前記複数の記録素子をブロック化し、該ブロック化された複数の記録素子の駆動回数の代表値を該ブロック化された複数の記録素子の駆動回数とする駆動データを生成する生成手段と、
前記駆動データに基づいて前記ブロック化された各記録素子の駆動回数を更新する更新手段と、
前記更新手段の更新結果に基づいて、前記複数の記録素子の駆動状態を判定する判定手段と、
を有することを特徴とする記録ヘッドの管理システム。
【請求項６】
前記判定手段の判定する前記複数の記録素子の駆動状態は、記録ヘッドの寿命を示す指標であることを特徴とする請求項５に記載の記録ヘッドの管理システム。
【請求項７】
複数の記録素子を有する記録ヘッドにより記録媒体に記録を行う記録装置に画像データを送信するホスト装置であって、
前記画像データにより駆動される前記記録ヘッドの各記録素子の駆動回数をカウントするカウント手段と、
前記カウント手段によるカウント結果に基づいて、前記複数の記録素子をブロック化し、該ブロック化された複数の記録素子の駆動回数の代表値を該ブロック化された複数の記録素子の駆動回数とする駆動データを前記記録装置に送信する送信手段と、
を有することを特徴とするホスト装置。
【請求項８】
前記駆動データに含まれる前記代表値は、前記ブロックに含まれる各記録素子の駆動回数のうちの最大値であることを特徴とする請求項７に記載のホスト装置。
【請求項９】
前記駆動データは、各ブロックの前記代表値に基づいて統合されることを特徴とする請求項７又は８に記載のホスト装置。
【請求項１０】
前記駆動データは、ブロックの数が所定数以下となるように統合されることを特徴とする請求項９に記載のホスト装置。
【請求項１１】
前記駆動データは、前記代表値が所定の範囲にあれば統合されることを特徴とする請求項９又は１０に記載のホスト装置。
【請求項１２】
前記駆動データは、前記カウント手段によるカウント結果が所定の範囲に含まれる記録素子をブロック化することにより生成されたものであることを特徴とする請求項７乃至１１のいずれか１項に記載のホスト装置。
【請求項１３】
ホスト装置から送信される画像データに基づいて複数の記録素子を有する記録ヘッドにより記録媒体に記録を行う記録装置であって、
前記ホスト装置から、前記複数の記録素子をブロック化し該ブロック化された複数の記録素子の駆動回数の代表値を該ブロック化された複数の記録素子の駆動回数とする駆動データを受信する受信手段と、
前記受信手段により受信した前記駆動データに基づいて、前記ブロック化された各記録素子の駆動回数を更新する更新手段と、
前記更新手段の更新結果に基づいて、前記複数の記録素子の駆動状態を判定する判定手段とを有することを特徴とする記録装置。
【請求項１４】
前記判定手段の判定する前記複数の記録素子の駆動状態は、記録ヘッドの寿命を示す指標であることを特徴とする請求項１３に記載の記録装置。
【請求項１５】
前記判定手段の判定結果に基づいて、ユーザに報知を行う報知手段をさらに有することを特徴とする請求項１３又は１４に記載の記録装置。
【請求項１６】
前記記録ヘッドはインクジェット記録ヘッドであることを特徴とする請求項１３乃至１５のいずれか１項に記載の記録装置。
【手続補正２】
【補正対象書類名】明細書
【補正対象項目名】発明の名称
【補正方法】変更
【補正の内容】
【発明の名称】記録システム、ホスト装置、記録装置、記録ヘッドの管理システム及びその記録ヘッドの管理方法
【手続補正３】
【補正対象書類名】明細書
【補正対象項目名】０００１
【補正方法】変更
【補正の内容】
【０００１】
本発明は記録システム、ホスト装置、記録装置、記録ヘッドの管理システム及びその記録制御方法に関する。特に、本発明は、例えば、インクジェット方式に従って記録を行うフルライン記録ヘッドを備えた記録装置とホスト装置とを含む記録システム、ホスト装置、記録装置、記録ヘッドの管理システム及びその記録ヘッドの管理方法に関する。
【手続補正４】
【補正対象書類名】明細書
【補正対象項目名】０００８
【補正方法】変更
【補正の内容】
【０００８】
本発明は上記従来例に鑑みてなされたもので、記録ヘッドの各記録素子の駆動回数に関する情報をスループットの低下を招くことなく転送することが可能な記録装置、記録ヘッドの管理システム及びその記録ヘッドの管理方法を提供することを目的とする。また、その記録装置に画像データを提供するホスト装置、そのホスト装置と記録装置とを含む記録システムを提供することも目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明を一側面から見れば、画像データに基づいて複数の記録素子を有する記録ヘッドにより記録媒体に記録を行う記録装置における記録ヘッドの管理方法であって、前記画像データにより駆動される前記記録ヘッドの各記録素子の駆動回数をカウントするカウント工程と、前記カウント工程におけるカウント結果に基づいて、前記複数の記録素子をブロック化し、該ブロック化された複数の記録素子の駆動回数の代表値を該ブロック化された複数の記録素子の駆動回数とする駆動データを生成する生成工程と、前記駆動データに基づいて前記ブロック化された各記録素子の駆動回数を更新する更新工程と、前記更新工程における更新結果に基づいて、前記複数の記録素子の駆動状態を判定する判定工程と、を有することを特徴とする記録ヘッドの管理方法又は同様の構成の管理システムを備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
従って本発明によれば、駆動データの転送量を削減するので、スループットの低下を招くことないという効果がある。